(57)【特許請求の範囲】
【請求項１】
前面側の前立て上側生地と背面側の前立て下側生地の２枚の生地が開閉可能に重なり合って開口が形成されている前立て部を有する男性用パンツに貼付して使用する尿が吸収できるパッド状の男性用の尿漏れ吸収衛生用品であって、
前記前立て上側生地の裏面の少なくとも一部、および、前記前立て部の左側に位置する前見頃左生地の裏面の少なくとも一部を覆う第１の尿吸収パッド部と、
前記前立て下側生地の裏面の少なくとも一部、および、前記前立て部の右側に位置する前見頃右生地の裏面の少なくとも一部、さらに、前立て下側生地の裏面側から表面側に廻り込むように折り返して前記前立て下側生地の表面側の少なくとも一部を覆う折り返し部を備えた第２の尿吸収パッド部を備え、
男性が放尿時における前記前立て部の前記開口を介した性器の出し入れ時の前記前立て部の汚損を防止する男性用の尿漏れ吸収衛生用品。
【請求項２】
前記第１の尿吸収パッド部、および、前記第２の尿吸収パッド部のうち、前記男性用パンツ生地に対面する部分の少なくとも一部に、前記男性用パンツ生地に貼り付きやすいよう接着面が設けられていることを特徴とする請求項１に記載の男性用の尿漏れ吸収衛生用品。
【請求項３】
装着者の下腹部に接する前記第１の尿吸収パッド部および前記第２の尿吸収パッド部の少なくとも側縁の一部に、前記装着者の下腹部側に向けて折り返した横漏れ防止用の帯体が設けられていることを特徴とする請求項１または２に記載の男性用の尿漏れ吸収衛生用品。
【請求項４】
前記第１の尿吸収パッド部における前記前見頃左生地の裏面を覆う部分の面積が、前記第２の尿吸収パッド部における前記前見頃右生地の裏面を覆う部分の面積よりも大きく構成されていることを特徴とする請求項１乃至３のいずれかに記載の男性用の尿漏れ吸収衛生用品。
【発明の詳細な説明】
【技術分野】
【０００１】
本発明は、簡便に男性用パンツに装着して使用することができるとともに、良好な装着状態を確保して尿漏れを有効に防止することが可能な吸収性物品に関する。
【背景技術】
【０００２】
男女を問わず、高齢化や病気などに起因して、失禁、尿漏れ、下着が汚れるという問題を抱える場合がある。そこで、多少の尿が漏れてもそれを一時的に下着の内部にとどめ、ズボン、スカートを汚さないようにする尿漏れ吸収衛生用品が知られている。
尿漏れ吸収衛生用品は、様々なものが開発されているが、その多くが表裏のシート材の中間に吸湿性高分子ポリマーなどの尿吸収材を嵌挿した構造となっている。性器からこぼれて漏れた尿は、尿漏れ吸収衛生用品に触れると表裏のシート材を通過し、内部に嵌挿されている尿吸収材に吸収され、尿吸収材の中に一時的に保留される。
【０００３】
女性はもともと性器の構造上、尿漏れしやすく様々な尿漏れ吸収衛生用品が開発され販売されている。概ね女性器は股のほぼ真下に尿が漏れる構造となっており、また、女性は下着を全部降ろして放尿し、放尿後に下着を全部上げるため、下着の股下の部分を大きく覆う一枚の尿漏れ吸収衛生用品を貼り付けておけば良い。
一方、男性は、性器の構造上、性器が前寄りについている。放尿の手順としては、男性用パンツは降ろさずに男性用パンツにある前立て部から男性器のみを出して立ったまま放尿し、放尿後、男性器を前立て部の中にしまうという動作となる。このように性器の構造、放尿の手順が女性と異なるため、女性用に開発された尿漏れ吸収衛生用品をそのまま適用することはできない。
【０００４】
そこで、従来技術において、男性用の尿漏れ吸収衛生用品として、男性の性器の構造に注目したものが開発されている。
例えば、特開２０１３−４８６８１号公報に開示された尿漏れ吸収衛生用品は、図９に示すように、尿漏れ吸収衛生用品１は男性器そのものを入れ込むサック状の袋体であり、袋部３００の内部に吸収体３を設けておき、男性器から外れないようリング体２、挟持片３０２を備えた構造となっている。男性器そのものを直接覆うものなので男性器からの尿漏れをしっかりと防止することができる。また、放尿時は尿漏れ吸収衛生用品１を男性器から抜き取って男性器を露出させることにより放尿を行うことができる。この尿漏れ吸収衛生用品１であれば男性用パンツそのものは汎用の男性用パンツを用いることができる。
【０００５】
また、例えば、特開２０１１−３０９６２号公報に開示された尿漏れ吸収衛生用品は、図１０に示すように、尿漏れ吸収衛生用品１は、ポケット状の袋２になっており、その内側に尿吸収材が貼られている。また袋２に男性器を突っ込むための穴３が設けられている。使用に際しては、男性用パンツの中に尿漏れ吸収衛生用品１全体を下腹部の前に入れ込み、穴３を介して男性器を尿漏れ吸収衛生用品１の中に入れる。このように装着することにより男性器から尿が漏れても確実に尿漏れ吸収衛生用品のポケット状の袋２の中に落ちることとなり、尿漏れをしっかりと防止することができる。
【０００６】
例えば、特開平１１−３４２４１５号公報に開示された尿漏れ吸収衛生用品は、図１１に示すように、男性用パンツの股下から前方部分を大きく覆う一枚のシートの尿漏れ吸収衛生用品１において男性器を貫通させられる穴２を設けた構造となっている。尿漏れ吸収衛生用品１は、男性用パンツの股下から前方部分を大きく覆うように取り付けられているので男性器の周囲を覆うことができ、男性器からの尿漏れをしっかりと防止することができる。また、放尿時は穴２から男性器を出して行うことができるため、放尿も行うことができる。
【０００７】
【特許文献１】特開２０１３−４８６８１号公報
【特許文献２】特開２０１１−３０９６２号公報
【特許文献３】特開平１１−３４２４１５号公報
【発明の概要】
【発明が解決しようとする課題】
【０００８】
図９から図１１に示す従来の尿漏れ吸収衛生用品は、放尿時以外の平常時における尿漏れは防止することができる。
しかし、放尿時の手順において特別な手順が必要となるという問題があった。また、放尿時の前後において残尿が男性器の先端から漏れる場合には男性用パンツを汚してしまうという問題があった。
【０００９】
特開２０１３−４８６８１号公報に開示された尿漏れ吸収衛生用品１は、平常時の尿漏れは防止することを狙ったものであるが、男性器は柔らかいものであり、サック状の袋体から男性用パンツ内で抜け出てしまう不具合があり得る。また、サック状の袋体である尿漏れ吸収衛生用品１を柔らかい男性器が抜け出ないようにするためにリング体２や挟持片３０２を取り付けているが、放尿時に男性器から外す手順が複雑なものとなってしまうという問題があった。
【００１０】
次に、特開２０１１−３０９６２号公報に開示された尿漏れ吸収衛生用品１によれば、平常時の尿漏れは防止することを狙ったものであるが、下腹部と男性用パンツの間にポケット状の袋２を入れておくことは違和感が強く実使用にはかえって不便である。また、男性器をポケット状の袋２を貫通させる手段がないため、放尿時はズボンおよび男性用パンツを全部降ろしてから行うこととなる。つまり、通常の男性の放尿スタイルを変えてズボンと男性用パンツ全体を下して使用することに違和感を覚える利用者も少なからずいると考えられる。
【００１１】
次に、特開平１１−３４２４１５号公報に開示された尿漏れ吸収衛生用品１の場合、放尿時に困難性がある。まず、ズボンのチャックを開き、男性用パンツの前立て部を開き、さらに、尿漏れ吸収衛生用品１の穴２を開口させる必要がある。そして、男性器を尿漏れ吸収衛生用品１の穴２から突き出した上、男性用パンツの前立て部から突き出し、さらにズボンのチャックから男性器を出して放尿する必要がある。この手順は簡単なようでやはり難しく、放尿時の手順が煩わしいという問題がある。
【００１２】
さらに、特開平１１−３４２４１５号公報に開示された尿漏れ吸収衛生用品１の場合、放尿終了時に男性器を戻す際に男性用パンツを汚してしまうおそれが高い。尿漏れ吸収衛生用品１を通すために男性器に圧迫がかかりやすく残尿が生じやすく、男性器を元の位置に戻す際、男性器の先端がズボンのチャック、さらに男性用パンツの前立て部の中にしまい込む必要がある。特に、前立て部は密着した複数枚の生地が重なり合っており、男性器の先端が通過すると残尿の滴が落ちやすく、特にこの前開きの部分が汚れやすいという問題がある。
【００１３】
以上を勘案すると、実使用に耐える男性用の尿漏れ吸収衛生用品は、通常の手順同様に、ズボンおよび男性用パンツを履いたままチャックと男性用パンツの前立て部を介して男性器を簡単に露出させることができ、かつ、通常の使用感と変わらない違和感のないものとすることが好ましい。また、放尿終了時に男性器を元に戻す際に先端から残尿の滴が落ちたとしても、男性用パンツの前立て部を汚すことのないものとすることが好ましい。
そこで、本発明は、通常の手順同様に、ズボンおよび男性用パンツを履いたままチャックと男性用パンツの前立て部を介して放尿する際に、男性器を簡単に露出させることができ、かつ、放尿終了時に男性器先端から残尿の滴が落ちたとしても、男性用パンツの前立て部を汚すことのない男性用尿漏れ吸収衛生用品を提供することを目的とする。
【課題を解決するための手段】
【００１４】
上記目的を達成するため、本発明の男性用尿漏れ吸収衛生用品は、前面側の前立て上側生地と背面側の前立て下側生地の２枚の生地が開閉可能に重なり合って開口が形成されている前立て部を有する男性用パンツに貼付して使用するパッド状の男性用の尿漏れ吸収衛生用品であって、前記前立て上側生地の裏面の少なくとも一部、および、前記前立て部の左側に位置する前見頃左生地の裏面の少なくとも一部を覆う第１の尿吸収パッド部と、前記前立て下側生地の裏面の少なくとも一部、および、前記前立て部の右側に位置する前見頃右生地の裏面の少なくとも一部、さらに、前立て下側生地の裏面側から表面側に廻り込むように折り返して少なくとも前記前立て下側生地の表面側の一部を覆う折り返し部を備えた第２の尿吸収パッド部を備え、男性が放尿時における前記前立て部の前記開口を介した性器の出し入れ時の前記前立て部の汚損を防止する男性用の尿漏れ吸収衛生用品である。
【００１５】
上記構成により、ズボンおよび男性用パンツを履いたままチャックと男性用パンツの前立て部を介して放尿する際に、男性器先端から残尿の滴が落ちたとしても、男性用パンツの前立て部の前面側の前立て上側生地の裏面には第２の尿吸収パッド部があり、男性用パンツの前立て部の生地を汚すことがない。
【００１６】
ここで、男性用パンツの前立て下側生地の裏面および表面も汚損も防止できるよう、前記第２の尿吸収パッド部を拡張して、前記前立て下側生地の裏面側から表面側に廻り込むように折り返す折り返し部を備えた構成となっているので、前立て下側生地は、表面も裏面も第２の尿吸収パッド部により覆われており、男性用パンツの前立て下側生地を汚すことがない。
【００１７】
なお、本発明の男性用の尿漏れ吸収衛生用品は、男性用パンツの生地に貼り付けて装着するため、前記第１の尿吸収パッド部、および、前記第２の尿吸収パッド部のうち、前記男性用パンツ生地に対面する部分の少なくとも一部に、前記男性用パンツ生地に貼り付きやすいよう接着面が設けられていることが好ましい。
【００１８】
また、残尿が多く、少量の尿が男性用パンツ内に漏れた場合、第１の尿吸収パッド部および第２の尿吸収パッド部の裏面を伝え走って横方向に漏れることもあり得る。そこで、本発明ではそのような横漏れを防止するため、装着者の下腹部に接する前記第１の尿吸収パッド部および前記第２の尿吸収パッド部の少なくとも側縁の一部に、装着者の下腹部側に向けて折り返した横漏れ防止用の帯体が設けられている構成とすることができる。横漏れ防止用の帯体を設けておけば、それ以上、尿が横に伝え漏れることがない。
【００１９】
また、男性は性器を出し入れする関係から、先端が若干左方向に向いている場合も多い。そこで、前記第１の尿吸収パッド部と前記第２の尿吸収パッド部の面積を工夫することもできる。つまり、前記第１の尿吸収パッド部における前記前見頃左生地の裏面を覆う部分の面積が、前記第２の尿吸収パッド部における前記前見頃右生地の裏面を覆う部分の面積よりも大きく構成することができる。
【発明の効果】
【００２０】
本発明の男性用尿漏れ吸収衛生用品によれば、ズボンおよび男性用パンツを履いたままチャックと男性用パンツの前立て部を介して放尿する際に、男性器先端から残尿の滴が落ちたとしても、男性用パンツの前立て部の前面側の前立て上側生地および背面側の前立て下側生地を第１の尿吸収パッド部および第２の尿吸収パッド部により尿を吸収することができ、男性用パンツの前立て部の生地を汚すことがない。
【発明を実施するための最良の形態】
【００２１】
以下、図面を参照しつつ、本発明の男性用尿漏れ吸収衛生用品の実施例を説明する。
本発明の範囲は以下の実施例に示した具体的な形状、デザイン、個数、角度などには限定されないことは言うまでもない。
【実施例１】
【００２２】
図１は、男性用パンツの前立て部２１０の付近のみを内側から見た様子を示した図である。
図２は、実施例１にかかる男性用尿漏れ吸収衛生用品１００の一構成例を簡単に示す図である。図２（ａ）は裏面（下腹部側に位置する面）から見た図、図２（ｂ）は表面（男性用パンツに対向する面）から見た図である。図２（ｃ）は男性器を通し出すために開口を広げた様子を簡単に示す図である。
【００２３】
図１に示すように、男性用パンツ２００は、ボクサータイプ、ブリーフタイプのどちらでも良いが、前立て部２１０を備えている。
前立て部２１０は、前面側の前立て上側生地２１１と、背面側の前立て下側生地２１２が開閉可能に重なり合って形成されている。つまり、前面側の前立て上側生地２１１と、背面側の前立て下側生地２１２は上端および下端では重なった状態で縫製されているが、前面側の前立て上側生地２１１の右サイドおよび背面側の前立て下側生地２１２の左サイドは縫製されておらず、両者が重なっているだけである。そのため、男性器を前立て部２１０の前面側の前立て上側生地２１１と背面側の前立て下側生地２１２との間の開口から前方へ出すことができるものとなっている。
前立て部２１０の前面側の前立て上側生地２１１はそのまま前立て部２１０の左側の前見頃左生地２１３と一体に縫製されている。
また、前立て部２１０の背面側の前立て下側生地２１２はそのまま前立て部２１０の右側の前見頃右生地２１４と一体に縫製されている。
このような男性用パンツ２００に対して、下記に示す男性用尿漏れ吸収衛生用品１００を貼り付けて装着する。
【００２４】
次に、男性用尿漏れ吸収衛生用品１００の各部材を説明する。
本発明の男性用尿漏れ吸収衛生用品１００は、図２に示すように、第１の尿吸収パッド部１１０と、第２の尿吸収パッド部１２０を備えている。
【００２５】
第１の尿吸収パッド部１１０は、前立て部２１０の前面側の前立て上側生地２１１の裏面の少なくとも一部を覆う部分１１２と、前立て部２１０の左側に位置する前見頃左生地２１３の裏面の少なくとも一部を覆う部分１１１を備えたものとなっている。図２の例では、第１の尿吸収パッド部１１０の部分１１２は、いわゆる舌のように前面側に出ており、図２（ａ）の内面側からは直接見えず、図２（ｂ）の正面側（男性用パンツに対向する面側）から見える位置に配置されている。
【００２６】
第２の尿吸収パッド部１２０は、前立て部２１０の背面側の前立て下側生地２１２の裏面の少なくとも一部を覆う部分１２２と、前立て部２１０の右側に位置する前見頃右生地２１４の裏面の少なくとも一部を覆う部分１２１を備えたものとなっている。図１の例では、第２の尿吸収パッド部１２０の部分１２２は、前立て部２１０の背面側の前立て下側生地２１２の裏面全体を覆うものとなっている。
【００２７】
ここで、男性は性器を出し入れする関係から、先端が若干左方向に向いている場合も多い。そこで、第１の尿吸収パッド部１１０と第２の尿吸収パッド部１２０の面積を工夫することもできる。例えば、第１の尿吸収パッド部１１０における部分１１１の面積を、第２の尿吸収パッド部１２０における部分１２１の面積よりも大きく構成することができる。こうすることで、男性用パンツ内において左側に向けて尿漏れが多く発生しても吸収量を適切に確保することができる。
なお、第１の尿吸収パッド部１１０、第２の尿吸収パッド部１２０のうち、男性用パンツ生地に対面する面には、男性用パンツ生地に貼り付きやすいよう接着面が設けられている。つまり、図２（ｂ）に示す面には接着面が設けられている。接着剤としては、一般の湿布薬などに塗布されている人体無害の生活用品用の接着剤とすることが好ましい。なお、接着は貼り付け対象となる全面であっても良く、周囲の縁の部分のみであっても良くその領域は特に限定されない。
【００２８】
図３は、本発明の男性用尿漏れ吸収衛生用品１００を男性用パンツ２００の内面に取り付ける様子を示す図である。
第１の尿吸収パッド部１１０の部分１１１、第２の尿吸収パッド部１２０の部分１２１をそれぞれ、前立て部２１０の左側に位置する前見頃左生地２１３、前立て部２１０の右側に位置する前見頃右生地２１４に対して貼り付ける。第１の尿吸収パッド部１１０の部分１１２に関しては、いわゆる舌のように突出しているが、それを前立て部２１０の隙間に入れ、前立て部２１０の前面側の前立て上側生地２１１の裏面側に貼り付ける。
【００２９】
このように第１の尿吸収パッド部１１０と第２の尿吸収パッド部１２０を男性用パンツの内面に貼り付けておくことにより、前立て部２１０において男性器が出入りする前面側２１１、裏面側２１２に挟まれたエリアには、部材１１２があるため多少の尿漏れがあったとしても吸収することができる。また、男性器をパンツの中にしまった後は、第１の尿吸収パッド部１１０と第２の尿吸収パッド部１２０により男性器を覆うことができる。
【００３０】
図４は、男性が放尿時における前立て部２１０を介して男性器の出し入れをするために前立て部２１０の前面側の前立て上側生地２１１と裏面側の前立て下側生地２１２との隙間の開口を拡げた様子を示す図である。図４（ａ）は平常状態、図４（ｂ）は前立て部２１０の隙間を拡げた様子を示している。
【００３１】
男性器の先端から尿が漏れたとしても、図４（ｂ）に示すように、前立て部２１０の前面側の前立て上側生地２１１の裏面には第１の尿吸収パッド部１１０の部材１１２が存在するため、尿漏れによる汚損を防止することができる。
また、図４（ａ）に示すように、前立て部２１０の左側は、第１の尿吸収パッド部１１０の部材１１１により、また、前立て部２１０の右側は、第２の尿吸収パッド部１２０の部材１２１により、男性の残尿漏れを十分にカバーする大きさとなっており、男性用尿漏れ吸収衛生用品１００として十分に機能し得る。
【００３２】
つまり、本発明の男性用尿漏れ吸収衛生用品１００は、放尿時において、前立て部２１０を通過する男性器の先端から漏れる尿による汚損を防止することができ、さらに、平常時において、男性器の前方に位置する男性用パンツの生地を大きく覆うエリアの尿漏れ対策を行うことができる。
【００３３】
なお、横漏れ防止用の帯体を設ける工夫も可能である。
横漏れ防止用の帯体は、残尿が多く、少量の尿が男性用パンツ内に漏れた場合尿が横に伝え漏れることを防止する部材である。
例えば、横漏れ防止用の帯体として、第１の尿吸収パッド部１１０、第２の尿吸収パッド部１２０の少なくとも側縁の一部において装着者の下腹部側に向けて折り返した帯状体として設ければ良い。第１の尿吸収パッド部１１０および第２の尿吸収パッド部１２０の裏面側に漏れた尿が多い場合、横方向に伝え漏れることもあり得るが、この横漏れ防止用の帯体があれば、それ以上、尿が横方向に伝え漏れることがない。
なお、上記した男性用の尿漏れ吸収衛生用品１００は、使い捨てタイプとしても良いし、第１の尿吸収パッド部１１０、第２の尿吸収パッド部１２０が洗濯に耐えうるものとすれば、適宜洗濯した上で繰り返し使用できるタイプとしても良い。
【実施例２】
【００３４】
実施例２として、第１の尿吸収パッド部において、折り返し部を設けた男性用の尿漏れ吸収衛生用品の構成例を説明する。
図５は、実施例２にかかる男性用尿漏れ吸収衛生用品１００ａの一構成例を簡単に示す図である。図５（ａ）は裏面（下腹部側に位置する面）から見た図、図５（ｂ）は表面（男性用パンツに対向する面）から見た図である。
以下の説明において、実施例１の構成と同様の部分についてはここでの説明は適宜省略している。
【００３５】
実施例２にかかる男性用尿漏れ吸収衛生用品１００ａは、図５に示すように、第１の尿吸収パッド部１１０ａと、第２の尿吸収パッド部１２０ａを備えているが、図５（ａ）に示すように、第２の尿吸収パッド部１２０ａが折り返し部１２３ａを備えている点が異なっている。つまり、第２の尿吸収パッド部１２０ａは、前立て部２１０の背面側の前立て下側生地２１２の裏面の少なくとも一部を覆う部材１２２ａ、および、前立て部２１０の右側の前見頃右生地２１４に位置する生地の裏面の少なくとも一部を覆う部材１２１ａを備えているが、さらに、図５（ａ）に示すように、前立て部２１０の背面側の前立て下側生地２１２の表面側へ折り返してその表面を覆う折り返し部１２３ａを備えたものとなっている。
【００３６】
図６は、折り返し部１２３ａを折り返す様子を簡単に示す図である。図６（ａ）から図６（ｂ）に示すように、いわゆる舌状の折り返し部１２３ａを右側へ折り返し、前立て部２１０の前面側の前立て上側生地２１１と裏面側の前立て下側生地２１２との隙間に突き出す。このように、いわゆる舌状の折り返し部１２３ａを右側へ折り返すことにより、図６（ｂ）に示すように、前立て部２１０の裏面側の前立て下側生地２１２の表面および裏面とも第２の尿吸収パッド部１２０ａにより包むことができる。
【００３７】
この折り返し部１２３ａを設けておくことにより、図６（ｂ）に示すように、前立て部２１０の背面側の前立て下側生地２１４の裏面側は、第２の尿吸収パッド部１２０ａの部材１１２ａによりカバーされ、また表面側は、第２の尿吸収パッド部１２０ａの折り返し部１２３ａによりカバーされており、前立て部２１０の背面側の前立て下側生地２１４に関しては表面も裏面も第２の尿吸収パッド部１２０ａによりカバーされることとなる。このように表面裏面ともカバーされておれば、男性器が前立て部２１０を通過する際に、前立て部２１０の背面側の前立て下側生地２１４を汚損することがなくなる効果が得られる。
【００３８】
図７は、実施例２にかかる本発明の男性用尿漏れ吸収衛生用品１００ａを男性用パンツ２００の内面に取り付ける様子を示す図である。
まず、図７（ａ）に示すように、第１の尿吸収パッド部１１０の部分１１１ａ、第２の尿吸収パッド部１２０ａの部分１２１ａをそれぞれ、前立て部２１０の左側に位置する前見頃左生地２１３、前立て部２１０の右側に位置する前見頃右生地２１４に対して貼り付ける。第１の尿吸収パッド部１１０ａの部分１１２ａに関しては、いわゆる舌のように突出しているが、それを前立て部２１０の隙間に入れ、前立て部２１０の前面側の前立て上側生地２１１の裏面側に貼り付ける。
【００３９】
次に、図７（ｂ）に示すように、第２の尿吸収パッド部１２０ａの折り返し部１２３ａを右側に折り返し、前立て部２１０の裏面側の前立て下側生地２１２の表面側に対して折り返し部１２３ａを貼り付ける。
このように第１の尿吸収パッド部１１０ａと第２の尿吸収パッド部１２０ａを男性用パンツの内面に貼り付けておくことにより、前立て部２１０において男性器が出入りする前面側の前立て上側生地２１１、裏面側の前立て下側生地２１２に挟まれたエリアには、前面側の前立て上側生地２１１には部材１１２ａがあり、裏面側の前立て下側生地２１２には部材１２３ａがあるため、男性器の先端から尿漏れがあったとしても吸収することが汚損を防止することができる。
【００４０】
図８は、男性が放尿時における前立て部２１０を介して男性器の出し入れをするために前立て部２１０の前面側の前立て上側生地２１１と裏面側の前立て下側生地２１２との隙間の開口を拡げた様子を示す図である。図８（ａ）は前立て部２１０の隙間を拡げた様子、図８（ｂ）は前立て部２１０の隙間に貼り付けられた第１の尿吸収パッド部１１０ａと第２の尿吸収パッド部１２０ａの部材を側面から簡単に示した図である。
【００４１】
図８（ｂ）に示すように、前立て部２１０において前面側の前立て上側生地２１１の裏面には第１の尿吸収パッド部１１０ａの部材１１２ａがあり、また、裏面側の前立て下側生地２１２の表面には第２の尿吸収パッド部１２０ａの折り返し部１２３ａがあり、また、裏面側の前立て下側生地２１２の裏面には第２の尿吸収パッド部１２０ａの部材１２２ａがある。このように、前立て部２１０の隙間の開口は、表裏とも第１の尿吸収パッド部１１０ａおよび第２の尿吸収パッド部１２０ａにより包まれており、男性器の先端から尿漏れがあったとしても吸収することが汚損を防止することができる。
【００４２】
なお、図８（ａ）に示すように、前立て部２１０の左側の前身頃左生地２１３は、第１の尿吸収パッド部１１０ａの部材１１１ａにより、また、前立て部２１０の右側の前身頃右生地２１４は、第２の尿吸収パッド部１２０ａの部材１２１ａにより、男性の残尿漏れを十分にカバーする大きさとなっており、男性器をパンツの中にしまった後も男性用尿漏れ吸収衛生用品１００ａとして十分に機能し得る。
なお、この構成例においても、横漏れ防止用の帯体を設けることは可能である。
【００４３】
以上、本発明の実施例１にかかる男性用尿漏れ吸収衛生用品１００、本発明の実施例２にかかる男性用尿漏れ吸収衛生用品１００ａは、放尿時において、前立て部２１０を通過する男性器の先端から漏れる尿による汚損を防止することができ、さらに、平常時において、男性器の前方に位置する男性用パンツの生地を大きく覆うエリアの尿漏れ対策を行うことができる。
なお、上記した男性用の尿漏れ吸収衛生用品１００ａは、使い捨てタイプとしても良いし、第１の尿吸収パッド部１１０ａ、第２の尿吸収パッド部１２０ａが洗濯に耐えうるものとすれば、適宜洗濯した上で繰り返し使用できるタイプとしても良い。
【００４４】
以上、本発明の好ましい実施例を図示して説明してきたが、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【００４５】
本発明の男性用尿漏れ吸収衛生用品は、ボクサータイプ、ブリーフタイプを問わず、男性用パンツに対する男性用尿漏れ吸収衛生用品として広く適用することができる。
【図面の簡単な説明】
【００４６】
【図１】男性用パンツの前立て部２１０の付近のみを内側から見た様子を示した図である。
【図２】実施例１にかかる男性用尿漏れ吸収衛生用品１００の一構成例を簡単に示す図である。
【図３】本発明の男性用尿漏れ吸収衛生用品１００を男性用パンツ２００の内面に取り付ける様子を示す図である。
【図４】男性が放尿時における前立て部２１０を介して男性器の出し入れをするために前立て部２１０の前面側の前立て上側生地２１１と裏面側の前立て下側生地２１２との隙間の開口を拡げた様子を示す図である。
【図５】実施例２にかかる男性用尿漏れ吸収衛生用品１００ａの一構成例を簡単に示す図である。
【図６】折り返し部１２３ａを折り返す様子を簡単に示す図である。
【図７】実施例２にかかる本発明の男性用尿漏れ吸収衛生用品１００ａを男性用パンツ２００の内面に取り付ける様子を示す図である。
【図８】男性が放尿時における前立て部２１０を介して男性器の出し入れをするために前立て部２１０の前面側の前立て上側生地２１１と裏面側の前立て下側生地２１２との隙間の開口を拡げた様子を示す図である。
【図９】特開２０１３−４８６８１号公報に開示された尿漏れ吸収衛生用品を簡単に示す図である。
【図１０】特開２０１１−３０９６２号公報に開示された尿漏れ吸収衛生用品を簡単に示す図である。
【図１１】特開平１１−３４２４１５号公報に開示された尿漏れ吸収衛生用品を簡単に示す図である。
【符号の説明】
【００４７】
１００，１００ａ  男性用尿漏れ吸収衛生用品
１１０，１１０ａ  第１の尿吸収パッド部
１１１，１１１ａ  部分
１１２，１１２ａ  部分
１２０，１２０ａ  第２の尿吸収パッド部
１２１，１２１ａ  部分
１２２，１２２ａ  部分
１２３ａ  折り返し部
２００  男性用パンツ
２１０  前立て部
２１１  前立て上側生地
２１２  前立て下側生地
２１３  前身頃左生地
２１４  前身頃右生地
【要約】 
【課題】  放尿終了時に男性器先端から残尿の滴が落ちたとしても、男性用パンツの前開きポケットを汚すことのない男性用尿漏れ吸収衛生用品を提供する。
【解決手段】  前面側の生地と背面側の生地が開閉可能に重なり合って形成されている前開きポケット２１０を有する男性用パンツに装着する男性用の尿漏れ吸収衛生用品であって、前開きのポケット２１０の前面側の生地２１１の裏面および前開きのポケットの左側の生地２１３の裏面を覆う第１の尿吸収パッド部１１０と、前開きのポケット２１０の背面側の生地２１２の裏面および前開きのポケット２１０の右側の生地２１４の裏面を覆う第２の尿吸収パッド部１２０を備えている。第１の尿吸収パッド部１１０に前開きのポケット２１０の背面側の生地２１２の表面側への折り返し部１１５を備えた構成も好ましい。前開きのポケット２１０を介した性器の出し入れ時の前開きポケット２１０の汚損を防止できる。
【選択図】  図１【図１】
0005509379.tif 000002
【図２】
0005509379.tif 000003
【図３】
0005509379.tif 000004
【図４】
0005509379.tif 000005
【図５】
0005509379.tif 000006
【図６】
0005509379.tif 000007
【図７】
0005509379.tif 000008
【図８】
0005509379.tif 000009
【図９】
0005509379.tif 000010
【図１０】
0005509379.tif 000011
【図１１】
0005509379.tif 000012